【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
画像ファイル中の画像データ誤消去の可能性を判断する誤消去判断装置であって、
前記画像ファイルに付帯されている、該画像ファイルが１つの画像ファイル中に複数の画像データを記録するフォーマットで記録されたものであるか否かを表す付属情報と、該画像ファイル中に記録されている画像データの数とに基づいて、該画像ファイル中の画像データが誤消去されている可能性があるか否かを判断する誤消去判断手段を備え、
該誤消去判断手段が、前記画像ファイルが前記１つの画像ファイル中に複数の画像データを記録するフォーマットで記録されたものであるか否かを前記付属情報に基づいて判別するフォーマット判別部と、前記画像ファイル中に２以上の画像データが記録されているか否かを判別する画像データ数判別部とを備え、前記フォーマット判別部において前記１つの画像ファイル中に複数の画像データを記録するフォーマットで記録されたものであると判別され、かつ、前記画像データ数判別部において２以上の画像データが記録されていないと判別された画像ファイルについて、該画像ファイル中の画像データが誤消去されている可能性があると判断するものである
ことを特徴とする誤消去判断装置。
【請求項２】
前記画像データ数判別部が、前記フォーマット判別部において前記１つの画像ファイル中に複数の画像データを記録するフォーマットで記録されたものであると判別された画像ファイルについて、該画像ファイル中に２以上の画像データが記録されているか否かを判別するものであることを特徴とする請求項１記載の誤消去判断装置。
【請求項３】
前記付属情報が、前記画像ファイルのヘッダ部の既知の位置に記録されたものであることを特徴とする請求項１または２記載の誤消去判断装置。
【請求項４】
前記１つの画像ファイル中に複数の画像データを記録するフォーマットが、異なる画像データ間を特定の識別子により区分けして、複数の画像データを１つの画像ファイル中に記録する記録形式であり、
前記画像データ数判別部が、画像ファイル中の最初の前記特定の識別子の後ろに画像データが存在するか否かに基づいて、前記２以上の画像データが記録されているか否かを判別するものであることを特徴とする請求項１から３のいずれか１項記載の誤消去判断装置。
【請求項５】
前記誤消去判断手段が、誤消去されている可能性があると判断した場合、その判断結果を出力するものであることを特徴とする請求項１から４のいずれか１項記載の誤消去判断装置。
【請求項６】
表示手段をさらに備え、
前記誤消去判断手段が、誤消去されている可能性があると判断した場合、該誤消去されている可能性があるとの判断結果を前記表示手段に出力して該表示手段に画像データが誤消去されている可能性がある旨を表示させるものであることを特徴とする請求項１から５のいずれか１項記載の誤消去判断装置。
【請求項７】
前記誤消去判断手段が、誤消去されている可能性があると判断した場合、前記画像ファイルに画像データの誤消去の可能性があることを表す付属情報を前記画像ファイルに付帯させるものであることを特徴とする請求項１から６のいずれか１項記載の誤消去判断装置。
【請求項８】
前記特定の識別子がEOIマーカであることを特徴とする請求項１から７のいずれか１項記載の誤消去判断装置。
【請求項９】
前記既知の位置が、フォーマット規格Exifの画像ユニークIDタグ領域の一部であることを特徴とする請求項３記載の誤消去判断装置。
【請求項１０】
画像ファイル中の画像データ誤消去の可能性を判断する誤消去判断方法であって、
前記画像ファイル中に付帯されている、該画像ファイルが１つの画像ファイル中に複数の画像データを記録するフォーマットで記録されたものであるか否かを表す付属情報に基づいて、前記画像ファイルが前記１つの画像ファイル中に複数の画像データを記録するフォーマットで記録されたものであるか否かを判別し、
前記画像ファイル中に２以上の画像データが記録されているか否かを判別し、
前記１つの画像ファイル中に複数の画像データを記録するフォーマットで記録されたものであると判別され、かつ、２以上の画像データが記録されていないと判別された画像ファイルについて、該画像ファイル中の画像データが誤消去されている可能性があると判断する
ことを特徴とする誤消去判断方法。
【請求項１１】
画像ファイル中の画像データ誤消去の可能性を判断する誤消去判断プログラムであって、
コンピュータに、
前記画像ファイル中に付帯されている、該画像ファイルが１つの画像ファイル中に複数の画像データを記録するフォーマットで記録されたものであるか否かを表す付属情報に基づいて、前記画像ファイルが前記１つの画像ファイル中に複数の画像データを記録するフォーマットで記録されたものであるか否かを判別し、
前記画像ファイル中に２以上の画像データが記録されているか否かを判別し、
前記１つの画像ファイル中に複数の画像データを記録するフォーマットで記録されたものであると判別され、かつ、２以上の画像データが記録されていないと判別された画像ファイルについて、該画像ファイル中の画像データが誤消去されている可能性があると判断する
ことを実行させるための誤消去判断プログラム。
【請求項１２】
１つの画像ファイル中に複数の画像データを記録するフォーマットで記録したい２以上の画像データを特定する特定手段と、
ヘッダ部の既知の位置に該画像ファイルが前記１つの画像ファイル中に複数の画像データを記録するフォーマットで記録されたものであることを表す付属情報を記録するとともに、前記特定手段により特定された２以上の画像データを、異なる画像データ間を特定の識別子により区分けして記録して、１つの画像ファイルを生成する画像ファイル生成手段と
を備えたことを特徴とする画像ファイル生成装置。
【請求項１３】
前記既知の位置が、フォーマット規格Exifの画像ユニークIDタグ領域の一部であることを特徴とする請求項１２記載の画像ファイル生成装置。
【請求項１４】
撮影により画像データを取得する撮影部と、
前記撮影における撮影モードを設定する撮影モード設定手段とをさらに備え、
前記特定手段が、前記設定手段により設定された撮影モードに基づいて前記１つの画像ファイル中に複数の画像データを記録するフォーマットで記録したい２以上の画像データを特定するものであることを特徴とする請求項１２または１３記載の画像ファイル生成装置
【請求項１５】
前記特定手段が、連写モード、ブラケット撮影モード、パノラマ撮影モード、立体撮影モード、多視点画像取得モードのいずれかの撮影モードで撮影された２以上の画像データを、前記１つの画像ファイル中に複数の画像データを記録するフォーマットで記録したい２以上の画像データとして特定するものであることを特徴とする請求項１４記載の画像ファイル生成装置。
【請求項１６】
前記特定手段が、複数の画像データから、該各画像データに付帯する、該画像データの撮影日時に関する情報に基づいて前記１つの画像ファイル中に複数の画像データを記録するフォーマットで記録したい２以上の画像データを特定するものであることを特徴とする請求項１２または１３記載の画像ファイル生成装置
【請求項１７】
前記特定手段が、複数の画像データから、該各画像データ間の相関を評価し、該評価の結果に基づいて前記１つの画像ファイル中に複数の画像データを記録するフォーマットで記録したい２以上の画像データを特定するものであることを特徴とする請求項１２または１３記載の画像ファイル生成装置